(57)【要約】      （修正有）【課題】美容増進のための固定具および縫合糸組立体を提供すること。【解決手段】縫合糸組立体のための固定具８０は、閉じられた前端を有する剛体部８８と、剛体部に、剛体部の後端から閉じられた前端に向かって形成される長手方向メクラ穴８９と、剛体部に形成され、前端の内面からある距離で長手方向メクラ穴と交差する横断貫通孔８３と、剛体部と係合するために横断貫通孔へと挿入されるように構成される保持ピン３８とを備え、保持ピンが横断貫通孔へと挿入され、剛体部と係合するとき、縫合糸保持空間が、長手方向メクラ穴において保持ピンの周りに定められ、縫合糸保持空間が、縫合糸９０の長さの中央部９３をそこで保持するように構成され、縫合糸の長さの自由端を、長手方向メクラ穴の外部へと剛体部の後端から延ばすことができるように構成される。【選択図】図４（ｃ）
2018027286.tif 000002
【特許請求の範囲】
【請求項１】
閉じられた前端を有する剛体部と、
前記剛体部に、前記剛体部の後端から前記閉じられた前端に向かって形成される長手方向メクラ穴と、
前記剛体部に形成され、前記前端の内面からある距離で前記長手方向メクラ穴と交差する横断貫通孔と、
前記剛体部と係合するために前記横断貫通孔へと挿入されるように構成される保持ピンと
を備え、
前記保持ピンが前記横断貫通孔へと挿入され、前記剛体部と係合するとき、縫合糸保持空間が、前記長手方向メクラ穴において前記保持ピンの周りに定められ、前記縫合糸保持空間が、縫合糸の長さの中央部をそこで保持するように構成され、縫合糸の前記長さの自由端を、前記長手方向メクラ穴の外部へと前記剛体部の前記後端から延ばすことができるように構成される、縫合糸組立体のための固定具。
【請求項２】
前記横断貫通孔が、前記固定具の長手方向において細長くされる断面を有する、請求項1に記載の固定具。
【請求項３】
前記保持ピンが立方形の形態を有する、請求項2に記載の固定具。
【請求項４】
前記保持ピンが、前記剛体部と、位置の隙間嵌めと位置の中間嵌めとの一方によって係合する、請求項1から3のいずれか一項に記載の固定具。
【請求項５】
前記横断貫通孔が、前記長手方向メクラ穴の相対する側において前記剛体部の壁を貫いて延びる、請求項1から4のいずれか一項に記載の固定具。
【請求項６】
前記保持ピンが、前記剛体部における前記横断貫通孔の両端において、前記剛体部と係合するだけの長さを有する、請求項5に記載の固定具。
【請求項７】
前記固定具が、前記剛体部から横方向に突出する少なくとも2つの弾性部をさらに備え、前記少なくとも2つの弾性部が、患者における前記縫合糸組立体の埋め込みの間にカニューレを通じた前記固定具の通過を許容するために、前記固定具の中心長手方向軸に向かって変位可能であるように構成され、前記固定具が前記患者に埋め込まれた後に前記固定具の移動に抗するように前記患者の顔の組織と係合するために、前記固定具が前記カニューレを出ると、前記少なくとも2つの弾性部がそれらの変位されていない位置へと戻るようにさらに構成される、請求項1から6のいずれか一項に記載の固定具。
【請求項８】
請求項1から7のいずれか一項に記載の固定具と、
縫合糸と
を備え、前記縫合糸が、
2つの自由端を有する1つだけの長さの縫合糸と、
前記2つの自由端の間の中央部と、
前記中央部の一方の側に形成される第1の複数の刺を有する、前記一方の側における第1の有刺部と、
前記中央部の他方の側に形成される第2の複数の刺を有する、前記他方の側における第2の有刺部と
を備え、
前記第1の複数の刺と前記第2の複数の刺とが前記中央部に向かって傾斜され、
前記縫合糸の前記中央部が、前記長手方向メクラ穴にあり、前記剛体部と係合するために、前記横断貫通孔へと挿入される前記保持ピンによって、前記縫合糸保持空間に保持され、
前記第1の有刺部と前記第2の有刺部とが、前記長手方向メクラ穴の外部へと前記剛体部の前記後端から延びる、縫合糸組立体。
【請求項９】
前記保持ピンが、前記長手方向メクラ穴における前記縫合糸の前記固定具に対する移動を防止するように、前記縫合糸と、前記縫合糸保持空間の周りの前記剛体部の内面との間に摩擦を作り出すために、前記縫合糸保持空間における前記縫合糸の前記中央部に圧力を加える、請求項8に記載の縫合糸組立体。
【発明の詳細な説明】
【技術分野】
【０００１】
本発明は、美容増進のための固定具および縫合糸組立体に関する。
【背景技術】
【０００２】
顔のしわ取りの処置に向けての多くの装置および方法が、これらの処置によって引き起こされる創傷、瘢痕化、および組織解離を最小限にする目的で、何年にもわたって開発されてきた。このような装置の1つは有刺縫合糸である。
【０００３】
典型的には、各々の縫合糸は、針を用いて、刺が針から離れる方に糸の引っ張りと反対の方向で配向された状態で、組織を貫いて縫われる。いくつかの縫合糸が適切な場所に挿入された後、顔の組織が手作業で持ち上げられ、刺が組織を新たな構成において所定位置に保持することになる。次に、縫合糸における引っ張りが再調整され、縫合糸は最終的な位置に結び目で固定される。無関係の縫合糸は、結び目とぴったりに切断され、皮膚の下に入れられる。
【０００４】
概して、これらの先行技術の方法の一部または全部は、縫合糸あたりで少なくとも2つの侵入/出口の傷をもたらす可能性があり、単一の縫合糸破断、複数の侵入および出口の位置、各々の侵入および出口の位置による瘢痕化および出血を被る可能性がある、有効な麻酔薬が必要となる可能性がある、および/または、回復時間が大幅なものになる可能性がある。
【０００５】
新規の解決策は、縫合糸を外科的に結ぶことに代わって、皮膚の下の最終位置において縫合糸を固定するための固定具を提供しており、そのため、良好な結果に向けて縫合糸の効果的な埋め込みを達成するための外科的な技能への依存がより小さく、出口の傷を回避する。固定される縫合糸は、縫合糸を固定具へと半田付けまたは溶着することが、縫合糸および固定具の材料の熱に弱い性質のせいで可能ではないため、縫合糸自体の問題に直面する。縫合糸を固定具に結び付けることは、縫合糸に結び目を作るために施術者にやはり大きく依存することとなり、これは、組み立ての間に縫合糸をかなり操ることによって刺の損傷を引き起こし、皮膚の下に縫合糸の結び目が存在するため、埋め込み位置の正確性や、全体の埋め込みの生物分解率にも影響を与える可能性がある。
【発明の概要】
【課題を解決するための手段】
【０００６】
大まかに言えば、本発明は、美容縫合のための最小限の侵略性の装置および技術を提案する。
【０００７】
第1の態様によれば、縫合糸組立体のための固定具が提供され、固定具は、閉じられた前端を有する剛体部と、剛体部に、剛体部の後端から閉じられた前端に向かって形成される長手方向メクラ穴と、剛体部に形成され、前端の内面からある距離で長手方向メクラ穴と交差する横断貫通孔と、剛体部と係合するために横断貫通孔へと挿入されるように構成される保持ピンとを備え、保持ピンが横断貫通孔へと挿入され、剛体部と係合するとき、縫合糸保持空間が、長手方向メクラ穴において保持ピンの周りに定められ、縫合糸保持空間が、縫合糸の長さの中央部をそこで保持するように構成され、縫合糸の長さの自由端を、長手方向メクラ穴の外部へと剛体部の後端から延ばすことができるように構成される。
【０００８】
横断貫通孔は、固定具の長手方向において細長くされる断面を有してもよい。
【０００９】
保持ピンは立方形の形態を有してもよい。
【００１０】
保持ピンは、剛体部と、位置の隙間嵌めと位置の中間嵌めとの一方によって係合してもよい。
【００１１】
横断貫通孔は、長手方向メクラ穴の相対する側において剛体部の壁を貫いて延びてもよい。
【００１２】
保持ピンは、剛体部における横断貫通孔の両端において、剛体部と係合するだけの長さを有してもよい。
【００１３】
固定具は、剛体部から横方向に突出する少なくとも2つの弾性部をさらに備え、少なくとも2つの弾性部は、患者における縫合糸組立体の埋め込みの間にカニューレを通じた固定具の通過を許容するために、固定具の中心長手方向軸に向かって変位可能であるように構成され、固定具が患者に埋め込まれた後に固定具の移動に抗するように患者の顔の組織と係合するために、固定具がカニューレを出ると、少なくとも2つの弾性部がそれらの変位されていない位置へと戻るようにさらに構成される。
【００１４】
第2の態様によれば、縫合糸組立体が提供され、その縫合糸組立体は、第1の態様の固定具と、縫合糸とを備え、縫合糸は、2つの自由端を有する1つだけの長さの縫合糸と、2つの自由端の間の中央部と、中央部の一方の側に形成される第1の複数の刺を有する、その一方の側における第1の有刺部と、中央部の他方の側に形成される第2の複数の刺を有する、その他方の側における第2の有刺部とを備え、第1の複数の刺と第2の複数の刺とが中央部に向かって傾斜され、縫合糸の中央部が、長手方向メクラ穴にあり、剛体部と係合するために、横断貫通孔へと挿入される保持ピンによって、縫合糸保持空間に保持され、第1の有刺部と第2の有刺部とが、長手方向メクラ穴の外部へと剛体部の後端から延びる。
【００１５】
保持ピンは、長手方向メクラ穴における縫合糸の固定具に対する移動を防止するように、縫合糸と、縫合糸保持空間の周りの剛体部の内面との間に摩擦を作り出すために、縫合糸保持空間における縫合糸の中央部に圧力を加えてもよい。
【００１６】
ここで、本発明の例示の実施形態を、以下の図を参照しつつ説明する。
【図面の簡単な説明】
【００１７】
【図１】複数の縫合糸組立体が埋め込まれた患者の顔組織の正面図である。
【図２】縫合糸組立体の固定具の組み立て前の縫合糸組立体の例示の実施形態の例示の縫合糸の概略的な図である。
【図３】縫合糸組立体の固定具の様々な図である。
【図４（ａ）】組み立ての間の縫合糸、固定具、および組立ロッドの初期位置の斜視図である。
【図４（ｂ）】固定具への縫合糸の中央部の挿入の後の組立ロッドとの組み立ての間の縫合糸および固定具の正面図および断面の正面図である。
【図４（ｃ）】組立ロッドの除去の後で、固定具の保持ピンの挿入の後の、組み立ての間の縫合糸および固定具の正面図および断面の正面図である。
【図４（ｄ）】組み立てられた縫合糸組立体の斜視図である。
【発明を実施するための形態】
【００１８】
固定具80および縫合糸組立体100の実施形態を、同じ符号が同じ部品または同様の部品を指示するために用いられている図1〜図4(d)を参照して説明する。
【００１９】
図1を参照すると、縫合糸組立体100は、皺皮(しわ)または下垂(たるみ)を被る可能性のある顔を持つ患者の顔の組織の所望の部分に、分配された持ち上げ力をもたらすように設計される。縫合糸組立体100は、頬102、こめかみ104、首105、または額106の領域において組織を持ち上げるために用いられ得る。各々の領域では、1つまたは複数の有刺縫合糸が、組織の内部または組織の下において上向きに埋め込まれる。縫合糸組立体100の例示の侵入部位108は、患者が直立位置にあるとき、縫合糸組立体100の固定具80の最終的な埋め込み位置112の下方にあり、埋め込みの間、縫合糸組立体100の出口部位はない。縫合糸組立体100は、既知の方法と比較して、傷の数を大幅に減らすことができ、施術者は、出口部位を目立たない場所に設けようにする必要がないため、あらゆる場所で持ち上げを提供することができる。各々の侵入部位108は、2つ以上の埋め込まれる縫合糸90を含む可能性があり、例えば、3つの埋め込まれる縫合糸組立体が、異なる角度で埋め込まれる可能性がある。各々の縫合糸組立体100は単一または複数の縫合糸90を含む可能性があり、縫合糸90は、埋め込み位置112において固定される。
【００２０】
図2に示しているように、縫合糸組立体100の例示の実施形態の例示の縫合糸90は、2つの自由端910、920を有する1つだけの長さの縫合糸90と、2つの自由端910、920の間の中央部93とを含む。縫合糸90は、中央部93の一方の側に形成された第1の複数の刺911を有する第1の有刺部91と、中央部93の他方の側に形成された第2の複数の刺922を有する第2の有刺部92とを有している。第1の複数の刺911と第2の複数の刺922とは、好ましくは刺のない中央部93に向かって傾斜されている。刺911、922は、図2に描写しているように、好ましくは千鳥の構成で、縫合糸90の一方の側または両側において、第1の有刺部91および第2の有刺部92に沿って設けられ得る。
【００２１】
縫合糸90は345mmの長さであり得る。代替で、異なる長さの縫合糸90が、顔の異なる領域、または、異なる大きさの顔のために提供されてもよく、例えば375mmの長さであり得る。縫合糸90は0.3mmの太さであり得る。代替で、異なる太さが、異なる引張強度を支持するために提供されてもよい。
【００２２】
縫合糸90は、ポリプロピレン、ポリカプロラクトン、ポリ乳酸、またはポリジオキサノンなどの材料から押し出しされ得る。ポリジオキサノンおよびポリ乳酸など、これらの材料の一部は、生体適合性および生分解性である。このようにして、顔のしわ取りの効果は、一時的であり、縫合糸組立体100は、時間と共に生分解するため、永久的に埋め込まれたままではない。これは、合併症の危険性を低減もする。
【００２３】
縫合糸組立体100のすべての実施形態について、固定具80は、刺911、922によって顔の組織へと提供される持ち上げ力に対して必要な反作用の力を提供するために、縫合糸90を所定位置に固定するように構成されている。固定具80は、患者における縫合糸組立体100の埋め込みのために用いられるカニューレ(図示していない)へと縫合糸組立体100を押し込ませることができるようにも構成されている。
【００２４】
図3および図4に示した縫合糸組立体100の例示の組立体では(刺は描写されていない)、固定具80は、完全に閉じられた前端81と開いた後端82とを有する剛体部88を備えている。剛体部88は、図示したように、中心長手方向軸Lを有する概して円筒形の塊を好ましくは備えるが、任意の他の適切な形が用いられてもよい。縫合糸90を固定具80に固定するために、固定具80は、前端81を突き破ることなく中心長手方向軸Lに沿って固定具80の後端82から前端81に向かって剛体部88へと形成された特定の深さを有する長手方向メクラ穴89を備えている。長手方向メクラ穴89は、固定具80内に縫合糸90の中央部93を保持するように構成されており、また、縫合糸90の第1の有刺部91および第2の有刺部92を、長手方向メクラ穴89の外部へと固定具80の後端82から延ばせるように構成されている。
【００２５】
固定具80は、後端82と閉じられた前端81との間で剛体部88に設けられている横断貫通孔83をさらに備えている。横断貫通孔83は、長手方向メクラ穴89および中心長手方向軸Lを横断するように配向されており、固定具80の前端81の内面85から、つまり、長手方向メクラ穴89の端85からある距離において、長手方向メクラ穴89と交差している。横断貫通孔83は、剛体部88の少なくとも1つの壁を貫いて長手方向メクラ穴89へと延びており、好ましくは、図3の断面B-Bに示しているように、長手方向メクラ穴89の相対する側において剛体部88の壁を貫いて延びている。
【００２６】
固定具80は、好ましくは位置の隙間嵌めまたは中間嵌めで、剛体部88と係合するように、横断貫通孔83へと挿入されるように構成されている保持ピン38も備えており、保持ピン38は、ひとたび横断貫通孔83へと挿入されると、剛体部88に対して移動するように意図されてなく、剛体部88と係合する。横断貫通孔83が、長手方向メクラ穴89の相対する側において剛体部88の壁を貫いて延びる場合、保持ピン38は、剛体部88における横断貫通孔83の両端において、固定具の剛体部88と係合するだけの長さを有しているべきである。一実施形態では、保持ピン38は、図3に示しているように、固定具80の長手方向において細長くされている断面を有する横断貫通孔83に嵌まるために、面取りされた縁を備える立方体の形態を有し得る。横断貫通孔83の細長い断面と保持ピン38とは、横断貫通孔83における保持ピン38の回転移動を防止する。代替で、保持ピン38と横断貫通孔83とは、望まれ得るように、任意の他の適切な合致する断面の形および大きさを有してもよい。
【００２７】
保持ピン38が、剛体部88と係合するために横断貫通孔83へと挿入されたとき、概してU字形とされた縫合糸保持空間30が、前端81の内面85に隣接して、長手方向メクラ穴89において保持ピン38の周りに画定される。保持ピン38および長手方向メクラ穴89の断面の形に依存して、縫合糸保持空間30は、真っ直ぐな面、湾曲された面、または両方の組み合わせを有し得る。縫合糸保持空間30は、そこに縫合糸90の中央部93を収容するように構成されている。縫合糸90が、図4(c)に示すように、固定具80と組み立てられたとき、縫合糸90の中央部93は180°に曲げられ、長手方向メクラ穴89における保持ピン38の周りで縫合糸保持空間30に保持され、そのため、縫合糸90のいずれの部分も固定具80の閉じられた前端81を越えて突出することはなく、縫合糸90の第1の有刺部91および第2の有刺部92は互いと平行に位置する。縫合糸90の第1の有刺部91および第2の有刺部92は、縫合糸90が、長手方向メクラ穴89に落ちるのを防止する、または、長手方向メクラ穴89から引っ張り出されるのを防止する保持ピン38の別々の側において、固定具80の後端82の外部へと延びる。
【００２８】
好ましくは、保持ピン38は(固定具80の剛体部88および縫合糸90と組み立てられるとき)、長手方向メクラ穴89における保持ピン38の周りで、縫合糸保持空間30における縫合糸90中央部93に圧力を加えるような大きさとされている。このような圧力は、長手方向メクラ穴89における縫合糸90の固定具80に対する移動(例えば、回転または滑動)を防止するために、縫合糸90と、長手方向メクラ穴89の周りの剛体部88の内面86との間に摩擦を作り出し、それによって縫合糸90の固定具80に対するしっかりとした取り付けを形成する。
【００２９】
縫合糸90のいずれの部分も固定具80の閉じられた前端81を越えて突出していないため、施術者は、本発明の縫合糸組立体100のすべての実施形態の患者への埋め込みの間、より良い正確性を達成することができ、これは、他のシステムでは、固定具80の前端81を越えて突出する無関係の縫合糸を収容するために、施術者によって予測される必要がある空間的な許容がないことによる。他のシステムにおけるこのような無関係の縫合糸は、1つまたは複数の結び目を備える、または、結び目を越えてさらに延びる縫合糸の自由端を持つ結び目として備える可能性がある。ここでの縫合糸組立体100では、縫合糸組立体100の最上端の位置の確実性が、縫合糸組立体100のいずれの部分も埋め込み部位112において固定具80を越えて延びないため、皮膚の下における固定具80についての感触によって決定できる。
【００３０】
さらに、ここでの縫合糸組立体100は、縫合糸90の残りよりも相当に大きい材料の質量を備える縫合糸の結び目をまったく有していない。したがって、縫合糸に1つまたは複数の結び目を用いる他のシステムと比較したとき、ここでの縫合糸組立体100の縫合糸90のより一定の生物分解が期待できる。
【００３１】
縫合糸90を固定具80と組み立てるために、図4(a)に示すように、縫合糸90の中央部93は、最初に、固定具80の剛体部88の長手方向メクラ穴89の上方で後端82を横切って位置決めされる。縫合糸90の長手方向軸は、この最初の組立位置において、横断貫通孔83の軸に対して横断するように位置決めされるべきである。次に、縫合糸90の中央部93は、組立ロッド200を用いて、図4(b)に示しているように、縫合糸90の中央部93が長手方向メクラ穴89の端85と接触し、それ以上進むことができなくなるまで押し込まれる。組み立ての間に縫合糸90を横断貫通孔83に対して横断するように位置決めすることで、縫合糸90の中央部93が長手方向メクラ穴89にあるとき、横断貫通孔83は縫合糸90によって邪魔されないことを確実にする。
【００３２】
図4(c)に示しているように、続いて、組立ロッド200は長手方向メクラ穴89から引き抜かれ、縫合糸90の中央部93を長手方向メクラ穴89に残す。これに続いて、保持ピン38を縫合糸90の中央部93の2つの半体同士の間で横断貫通孔83へと挿入し、それによって、保持ピン38の周りで固定具80内に縫合糸90の中央部93を固定することで、図4(d)に示しているように、縫合糸組立体100を形成する。
【００３３】
注目すべきは、組み立ての間、結び目が縫合糸90で結ばれる必要がないため、組み立て操作者が1つまたは複数の結び目をそれらの縫合糸において結ぶために縫合糸を操る必要がある他のシステムと比較して、組み立て操作者の手による必要とされる縫合糸90の扱いは最小限である。縫合糸90の操作者の扱いおよび操りを最小限にすることは、縫合糸組立体100が患者に埋め込まれるときに持ち上げを効果的にするために、患者の顔の組織と係合することが必要とされる縫合糸90における刺911、922の形成を保護する上で、および、刺911、922への損傷を回避する上で、有利である。
【００３４】
剛体部88に加えて、すべての実施形態について、固定具80は、図3〜図4(c)に示しているように、剛体部88から横方向に突出する少なくとも2つの弾性部84を任意で備えてもよい。少なくとも2つの弾性部84は、固定具80が圧縮された状態となることをもたらすために、固定具80の中心長手方向軸Lに向かって変位可能であるように構成されている。圧縮された状態において、固定具80の最も大きい横方向の直径または幅は、縫合糸組立体100の侵入部位の直径内であり、そのため、圧縮された状態は、患者への固定具80の埋め込みの間に侵入部位を提供するカニューレ(図示していない)を通る固定具80の通過を許容する。埋め込みの間、固定具80がカニューレを出ると、少なくとも2つの弾性部84はそれらの変位されていない位置へと跳ね返り、そのため固定具80は再び自由な状態になる。自由な状態において、少なくとも2つの弾性部84は、固定具80が患者における最終的な埋め込みの位置112に埋め込まれたとき、固定具80の下向きの移動の阻止を強化するために、患者の顔の組織と係合するように構成されており、それによって、弾性部のない固定具と比較して、顔の組織のより良好な把持を提供する。
【００３５】
一実施形態では、少なくとも2つの弾性部84は、固定具80の中心長手方向軸Lの周りに対称的に設けられる。好ましくは、少なくとも2つの弾性部は、剛体部88の後端82に設けられる。他の実施形態では、少なくとも2つの弾性部は、剛体部88の前端81に代替で設けられてもよい。
【００３６】
すべての実施形態について、固定具80は、好ましくは、生分解性材料から成型される。これは、固定具80が、永久的に埋め込まれたままとならないように、時間と共に生分解することになることを意味する。これは、合併症の危険性を低減もする。使用中、固定具80は、組織の内部に留まることになり、縫合糸90と等しい速さ、または、縫合糸90より遅い速さで溶解し、縫合糸組立体100の寿命にわたって持ち上げの信頼性を確保することになる。
【００３７】
本発明の先の記載の好ましい実施形態において説明してきたが、設計または構造の詳細における多くの変形または改良が本発明から逸脱することなく行われ得ることは、当業者によって理解されよう。
【符号の説明】
【００３８】
30  縫合糸保持空間
38  保持ピン
80  固定具
81  前端
82  後端
83  横断貫通孔
84  弾性部
85  内面、端
86  内面
88  剛体部
89  長手方向メクラ穴
90  縫合糸
91  第1の有刺部
910  自由端
911  第1の複数の刺
92  第2の有刺部
920  自由端
922  第2の複数の刺
93  中央部
100  縫合糸組立体
108  侵入部位
112  埋め込み位置、埋め込み部位
200  組立ロッド
L  中心長手方向軸
【図１】
2018027286.tif 000003
【図２】
2018027286.tif 000004
【図３】
2018027286.tif 000005
【図４（ａ）】
2018027286.tif 000006
【図４（ｂ）】
2018027286.tif 000007
【図４（ｃ）】
2018027286.tif 000008
【図４（ｄ）】
2018027286.tif 000009
【手続補正書】
【提出日】平成29年12月11日(2017.12.11)
【手続補正１】
【補正対象書類名】特許請求の範囲
【補正対象項目名】全文
【補正方法】変更
【補正の内容】
【特許請求の範囲】
【請求項１】
閉じられた前端を有する剛体部と、
前記剛体部に、前記剛体部の後端から前記閉じられた前端に向かって形成される長手方向メクラ穴と、
前記剛体部に形成され、前記前端の内面からある距離で前記長手方向メクラ穴と交差する横断貫通孔と、
保持ピンが前記横断貫通孔へと挿入されるとき前記剛体部に対する前記保持ピンの移動が防止されるように、前記剛体部と係合するために前記横断貫通孔へと挿入されるように構成される保持ピンと
を備え、
前記保持ピンが前記横断貫通孔へと挿入され、前記剛体部と係合するとき、縫合糸保持空間が、前記長手方向メクラ穴において前記保持ピンの周りに定められ、前記縫合糸保持空間が、縫合糸の長さの中央部をそこで保持するように構成され、縫合糸の前記長さの自由端を、前記長手方向メクラ穴の外部へと前記剛体部の前記後端から延ばすことができるように構成され、かつ
前記保持ピンは、前記保持ピンが前記横断貫通孔へと挿入され、前記剛体部と係合するとき、前記保持ピンが前記縫合糸保持空間における縫合糸の中央部に圧力を加えて、前記縫合糸と前記縫合糸保持空間の周りの剛体部の内面との間に摩擦を作り出して、前記長手方向メクラ穴における縫合糸の固定具に対する移動を防止するような、大きさとされている、顔組織を係合する縫合糸組立体のための固定具。
【請求項２】
前記横断貫通孔が、前記固定具の長手方向において細長くされる断面を有する、請求項１に記載の固定具。
【請求項３】
前記保持ピンが立方体の形態を有する、請求項２に記載の固定具。
【請求項４】
前記保持ピンが、前記剛体部と、隙間嵌めと中間嵌めとの一方によって係合する、請求項１から３のいずれか一項に記載の固定具。
【請求項５】
前記横断貫通孔が、前記長手方向メクラ穴の相対する側において前記剛体部の壁を貫いて延びる、請求項１から４のいずれか一項に記載の固定具。
【請求項６】
前記保持ピンが、前記剛体部における前記横断貫通孔の両端において、前記剛体部と係合するだけの長さを有する、請求項５に記載の固定具。
【請求項７】
前記固定具が、前記剛体部から横方向に突出する少なくとも２つの弾性部をさらに備え、前記少なくとも２つの弾性部が、患者における前記縫合糸組立体の埋め込みの間にカニューレを通じた前記固定具の通過を許容するために、前記固定具の中心長手方向軸に向かって変位可能であるように構成され、前記固定具が前記患者に埋め込まれた後に前記固定具の移動に抗するように前記患者の顔の組織と係合するために、前記固定具が前記カニューレを出ると、前記少なくとも２つの弾性部がそれらの変位されていない位置へと戻るようにさらに構成される、請求項１から６のいずれか一項に記載の固定具。
【請求項８】
請求項１から７のいずれか一項に記載の固定具と、
縫合糸と
を備え、前記縫合糸が、
２つの自由端を有する、単一の長さの縫合糸と、
前記２つの自由端の間の中央部と、
前記中央部の一方の側に形成される第１の複数の刺を有する、前記一方の側における第１の有刺部と、
前記中央部の他方の側に形成される第２の複数の刺を有する、前記他方の側における第２の有刺部と
を備え、
前記第１の複数の刺と前記第２の複数の刺とが前記中央部に向かって傾斜され、
前記縫合糸の前記中央部が、前記長手方向メクラ穴にあり、前記剛体部と係合するために、前記横断貫通孔へと挿入される前記保持ピンによって、前記縫合糸保持空間に保持され、前記保持ピンは、前記縫合糸保持空間における縫合糸の中央部に圧力を加えて、前記縫合糸と前記縫合糸保持空間の周りの剛体部の内面との間に摩擦を作り出して、前記長手方向メクラ穴における縫合糸の前記固定具に対する移動を防止し、
前記第１の有刺部と前記第２の有刺部とが、前記長手方向メクラ穴の外部へと前記剛体部の前記後端から延びる、顔組織を係合する縫合糸組立体。
【外国語明細書】
2018027286000001.pdf